(57)【要約】【課題】未使用時においては薬剤が密封されて漏出してしまうことがなく、使用時には簡単な操作で密封を解除できると共に、加熱式の薬剤蒸散装置に装着されたときに薬剤の蒸散量の制御が容易な薬剤収納容器を提供する。【解決手段】加熱機構を備えた薬剤蒸散装置に適用される耐熱性の部材からなる薬剤収納容器であって、薬剤を収納する凹状の収納部１１と第１係合部２３を有する容器本体２０と、収納部を覆って密封するガスバリア性の内蓋２２と、第１係合部と係合する第２係合部２９と通気孔１５を有し、内蓋を覆う様に容器本体と係合される外蓋２４と、内蓋を開封する開封部材２６と、を有し、容器本体と外蓋が係合されるとき、または薬剤収納容器が薬剤蒸散装置に装着されるときに、内蓋が開封部材により切り裂かれて収納部が開封される。【選択図】図３
2020146197.tif 000002
【特許請求の範囲】
【請求項１】
加熱機構を備えた薬剤蒸散装置に適用される耐熱性の部材からなる薬剤収納容器であって、
薬剤を収納する凹状の収納部と第１係合部を有する容器本体と、
前記収納部を覆って密封するガスバリア性の内蓋と、
前記第１係合部と係合する第２係合部と通気孔を有し、前記内蓋を覆う様に前記容器本体と係合される外蓋と、
前記内蓋を開封する開封部材と、を有し、
前記容器本体と前記外蓋が係合されるとき、または薬剤収納容器が前記薬剤蒸散装置に装着されるときに、前記内蓋が前記開封部材により切り裂かれて前記収納部が開封されることを特徴とする薬剤収納容器。
【請求項２】
前記開封部材が、前記外蓋の前記内蓋と対向する面に設けられた刃状または針状の突起であることを特徴とする請求項１に記載の薬剤収納容器。
【請求項３】
前記第１係合部と前記第２係合部が、スライド溝とスライド凸部の組合せであり、前記スライド溝と前記スライド凸部が嵌合することで前記容器本体と前記外蓋が係合されることを特徴とする請求項１または２に記載の薬剤収納容器。
【請求項４】
前記容器本体と前記外蓋がヒンジにより連結され、前記ヒンジを閉じることで前記容器本体と前記外蓋が係合されることを特徴とする請求項１または２に記載の薬剤収納容器。
【請求項５】
加熱機構を備えた薬剤蒸散装置に適用される耐熱性の部材からなる薬剤収納容器であって、
薬剤を収納する凹状の収納部と第１係合部を有する容器本体と、
前記収納部を覆って密封するガスバリア性の内蓋と、
前記第１係合部と係合する第２係合部と通気孔を有し、前記内蓋を覆う様に前記容器本体と係合される外蓋と、
前記内蓋の一端に連結されて折り返され、前記内蓋の他端側で前記外蓋の外部まで伸びるタブと、を有し、
前記容器本体と前記外蓋が係合された後、前記タブを引くことで前記内蓋が剥がされて前記収納部が開封されることを特徴とする薬剤収納容器。
【請求項６】
加熱機構を備えた薬剤蒸散装置に適用される耐熱性の部材からなる薬剤収納容器であって、
薬剤を収納する凹状の収納部を有する容器本体と、
前記収納部を覆って密封するガスバリア性の内蓋と、
前記容器本体の一端にジャバラで連結された前記内蓋を開封する開封部材と、を有し、
前記ジャバラが縮められたときに前記開封部材が前記内蓋を切り裂いて前記収納部が開封されることを特徴とする薬剤収納容器。
【請求項７】
前記凹状の収納部の、少なくともその底面が、金属で形成されていることを特徴とする請求項１から６のいずれかに記載の薬剤収納容器。
【請求項８】
請求項１から７のいずれかに記載の薬剤収納容器の収納部に薬剤を収納した薬剤収納体。
【請求項９】
薬剤蒸散装置と、収納部に薬剤を収納した請求項１から７のいずれかに記載の薬剤収納容器からなり、
前記薬剤蒸散装置は、前記薬剤収納容器のいずれかを選択して装着できる装着部と、該装
着部に隣接して設けられた加熱機構を有し、
前記装着部に前記薬剤収納容器が装着される前、または前記装着部に前記薬剤収納容器が装着されるときに開封部材により前記薬剤収納容器が開封され、前記加熱機構により前記薬剤収納容器が加熱されて薬剤が蒸散されることを特徴とする薬剤放出システム。
【請求項１０】
薬剤蒸散装置と、耐熱性の部材で構成され内蓋で密封した収納部に薬剤を収納した薬剤収納容器と、からなり、
前記薬剤蒸散装置は、前記薬剤収納容器が装着される装着部と、該装着部に隣接して設けられた加熱機構を有し、
前記装着部に開封部材が設けられ、
前記装着部に前記薬剤収納容器が装着されるときに前記開封部材により前記内蓋が切り裂かれて前記薬剤収納容器が開封され、前記加熱機構により前記薬剤収納容器が加熱されて薬剤が蒸散されることを特徴とする薬剤放出システム。
【発明の詳細な説明】
【技術分野】
【０００１】
本発明は、芳香剤、消臭剤等の蒸散性の薬剤を周囲の空間に放出する加熱式の蒸散機に装着される薬剤収納容器に関する。
【背景技術】
【０００２】
従来、芳香剤、消臭剤等の薬剤を周囲の空間に放出するための容器としては、液体タイプの芳香剤や消臭剤等をガラスびん、プラスチック容器等に充填して、容器内の芳香剤や消臭剤等を紙、不織布等からなる含浸体に浸透させながら容器上部に吸い上げ自然に蒸発させる構造をとるものが広く用いられている。この様な容器は、例えば車載用であれば、ダッシュボードに置かれたり、エアコンの吹き出し口に装着されたりして使用されることが多い。
【０００３】
しかしこの様な容器は、薬剤の蒸発量を制御するのが難しく、例えば周囲温度が高くなると薬剤が多量に蒸散されてしまい、逆に低温になると蒸発量が減ってしまっていた。そこで、薬剤の蒸散量をコントロールできる薬剤容器や、薬剤の蒸散量をコントロールできる装置・機構と組み合わせて用いる薬剤容器が提案されている。
【０００４】
例えば特許文献１には、フェルト等の含浸体に含浸させた、あるいはゲル状とした薬剤をガス透過性のケース体に収納し、流出するガスの周囲環境への放出量を、ケース体を収納するカバー体に設けた開口の大きさを仕切り板によりコントロールする芳香・消臭剤等の薬剤の収納容器が開示されている。
【０００５】
しかし、特許文献１の容器では、開口の大きさの調整は手作業であり、環境温度等に合わせて即時的に調整を行うことはそれ自体では難しく、また主要な構成材料が樹脂フィルムであって保形性が低いため、装置などに安定して装着するのが難しく、薬剤の蒸散量をコントロールできる装置・機構と組み合わせて用いることは困難であった。
【０００６】
また、特許文献２には、カード状の媒体の一部に薬剤保持部を設けた、揮発性薬効成分発生装置に適用できる薬剤担体が開示され、この薬剤担体を挿入して、電熱ヒーターで薬剤担持部を加熱することで薬効成分を揮発させる装置が開示されている。
【０００７】
しかしながら、特許文献２のようなカード状の薬剤担体では、電熱ヒーターにより加熱できる装置と組み合わせることで薬剤の揮発量の制御は可能になるが、カード状であるため薬剤の保持量が限られ、また薬剤保持部が露出しているため非加熱時においても薬剤が徐々に蒸散してしまうおそれがあり、また薬剤の種類によってはカード状の加工が困難な場合があり、その利用が限られてしまうという問題があった。
【先行技術文献】
【特許文献】
【０００８】
【特許文献１】実開昭６１−１３９２３５号公報
【特許文献２】実開平１−１５０９４５号公報
【発明の概要】
【発明が解決しようとする課題】
【０００９】
本発明は、以上のような従来技術に鑑みなされたもので、未使用時においては薬剤が密封されて漏出してしまうことがなく、使用時には簡単な操作で密封を解除できると共に、加熱式の薬剤蒸散装置に装着されたときに薬剤の蒸散量の制御が容易な薬剤収納容器を提
供することを課題とする。
【課題を解決するための手段】
【００１０】
上記課題を解決するため、本発明の請求項１に係る発明は、
加熱機構を備えた薬剤蒸散装置に適用される耐熱性の部材からなる薬剤収納容器であって、
薬剤を収納する凹状の収納部と第１係合部を有する容器本体と、
前記収納部を覆って密封するガスバリア性の内蓋と、
前記第１係合部と係合する第２係合部と通気孔を有し、前記内蓋を覆う様に前記容器本体と係合される外蓋と、
前記内蓋を開封する開封部材と、を有し、
前記容器本体と前記外蓋が係合されるとき、または薬剤収納容器が前記薬剤蒸散装置に装着されるときに、前記内蓋が前記開封部材により切り裂かれて前記収納部が開封されることを特徴とする薬剤収納容器である。
【００１１】
また、本発明の請求項２に係る発明は、
前記開封部材が、前記外蓋の前記内蓋と対向する面に設けられた刃状または針状の突起であることを特徴とする請求項１に記載の薬剤収納容器である。
【００１２】
また、本発明の請求項３に係る発明は、
前記第１係合部と前記第２係合部が、スライド溝とスライド凸部の組合せであり、前記スライド溝と前記スライド凸部が嵌合することで前記容器本体と前記外蓋が係合されることを特徴とする請求項１または２に記載の薬剤収納容器である。
【００１３】
上記課題を解決するため、本発明の請求項４に係る発明は、
前記容器本体と前記外蓋がヒンジにより連結され、前記ヒンジを閉じることで前記容器本体と前記外蓋が係合されることを特徴とする請求項１または２に記載の薬剤収納容器である。
【００１４】
また、本発明の請求項５に係る発明は、
加熱機構を備えた薬剤蒸散装置に適用される耐熱性の部材からなる薬剤収納容器であって、
薬剤を収納する凹状の収納部と第１係合部を有する容器本体と、
前記収納部を覆って密封するガスバリア性の内蓋と、
前記第１係合部と係合する第２係合部と通気孔を有し、前記内蓋を覆う様に前記容器本体と係合される外蓋と、
前記内蓋の一端に連結されて折り返され、前記内蓋の他端側で前記外蓋の外部まで伸びるタブと、を有し、
前記容器本体と前記外蓋が係合された後、前記タブを引くことで前記内蓋が剥がされて前記収納部が開封されることを特徴とする薬剤収納容器である。
【００１５】
上記課題を解決するため、本発明の請求項６に係る発明は、
加熱機構を備えた薬剤蒸散装置に適用される耐熱性の部材からなる薬剤収納容器であって、
薬剤を収納する凹状の収納部を有する容器本体と、
前記収納部を覆って密封するガスバリア性の内蓋と、
前記容器本体の一端にジャバラで連結された前記内蓋を開封する開封部材と、を有し、
前記ジャバラが縮められたときに前記開封部材が前記内蓋を切り裂いて前記収納部が開封されることを特徴とする薬剤収納容器である。
【００１６】
また、本発明の請求項７に係る発明は、
前記凹状の収納部の、少なくともその底面が、金属で形成されていることを特徴とする請求項１から６のいずれかに記載の薬剤収納容器である。
【００１７】
また、本発明の請求項８に係る発明は、
請求項１から７のいずれかに記載の薬剤収納容器の収納部に薬剤を収納した薬剤収納体である。
【００１８】
また、本発明の請求項９に係る発明は、
薬剤蒸散装置と、収納部に薬剤を収納した請求項１から７のいずれかに記載の薬剤収納容器からなり、
前記薬剤蒸散装置は、前記薬剤収納容器のいずれかを選択して装着できる装着部と、該装着部に隣接して設けられた加熱機構を有し、
前記装着部に前記薬剤収納容器が装着される前、または前記装着部に前記薬剤収納容器が装着されるときに開封部材により前記薬剤収納容器が開封され、前記加熱機構により前記薬剤収納容器が加熱されて薬剤が蒸散されることを特徴とする薬剤放出システムである。
【００１９】
また、本発明の請求項１０に係る発明は、
薬剤蒸散装置と、耐熱性の部材で構成され内蓋で密封した収納部に薬剤を収納した薬剤収納容器と、からなり、
前記薬剤蒸散装置は、前記薬剤収納容器が装着される装着部と、該装着部に隣接して設けられた加熱機構を有し、
前記装着部に開封部材が設けられ、
前記装着部に前記薬剤収納容器が装着されるときに前記開封部材により前記内蓋が切り裂かれて前記薬剤収納容器が開封され、前記加熱機構により前記薬剤収納容器が加熱されて薬剤が蒸散されることを特徴とする薬剤放出システムである。
【発明の効果】
【００２０】
本発明によれば、加熱により蒸散する液状の、またはフェルトなどに含浸させた芳香剤、消臭剤、殺菌剤などの薬剤を比較的薄いカートリッジ状の薬剤収納容器に内蓋で密封して収納した状態で保管でき、この薬剤収納容器を薬剤蒸散装置に装着するときに、外蓋を係合させて開封部材により内蓋を切り裂く、または内蓋を引き剥がすなどして開封した状態として、もしくは薬剤蒸散装置に装着するときに開封部材により内蓋を開封した状態として、薬剤蒸散装置に装着することができ、薄いカートリッジ形状であるため熱板などの簡単な加熱機構により加熱して薬剤を効率的に蒸散させることができ、開封状態や加熱状態を適宜調整することにより薬剤の蒸散量を最適に制御することも容易な薬剤収納容器を得ることができる。
【００２１】
また同様に開封状態や加熱状態を適宜調整することにより薬剤の蒸散量を最適に制御することが可能となる薬剤放出システムが得られる。
【図面の簡単な説明】
【００２２】
【図１】本発明の薬剤収納容器の一形態の構成を示す模式図である。
【図２】本発明の薬剤収納容器の一形態の密封を解除する態様を示す模式図である。
【図３】本発明の薬剤収納容器の第２の形態の構成を示す模式図である。
【図４】本発明の薬剤収納容器の第２の形態の密封を解除する態様を示す模式図である。
【図５】本発明の薬剤収納容器の第２の形態の密封を解除する態様を示す縦断面模式図である。
【図６】本発明の薬剤収納容器の第３の形態の構成を示す模式図である。
【図７】本発明の薬剤収納容器の第４の形態の構成を示す模式図である。
【図８】本発明の薬剤収納容器の第５の形態を開封する態様を示す縦断面模式図である。
【図９】本発明の薬剤収納容器の第５の形態の平面模式図である。
【図１０】本発明の薬剤収納容器の第６の形態を開封する態様を示す縦断面模式図である。
【図１１】本発明の薬剤収納容器の第６の形態の平面模式図である。
【図１２】本発明の薬剤収納容器の第７の形態を開封する態様を示す縦断面模式図である。
【図１３】本発明の薬剤収納容器の第７の形態を開封する態様を示す横断面模式図である。
【図１４】本発明の薬剤放出システムに適用できる薬剤収納容器の構成例を示す模式図である。
【図１５】本発明の薬剤放出システムに適用できる薬剤収納容器を開封する態様を示す断面模式図である。
【図１６】本発明の薬剤放出システムに適用できる薬剤収納容器の第２の構成例を示す模式図である。
【図１７】本発明の薬剤放出システムに適用できる薬剤収納容器の第２の構成例を開封する態様を示す模式図である。
【発明を実施するための形態】
【００２３】
以下、本発明の実施の形態を、図面を参照しながら詳細に説明する。なお本発明は以下に説明する実施形態に限定されるものではない。また以下において、同等の部材等には同一の符号を付し、説明を省略することがある。
【００２４】
図１は、本発明の薬剤収納容器の一形態の構成を示す模式図である。薬剤収納容器１は、板状の容器本体１０に収納部１１が凹状に設けられ、薬剤１７が収納される。薬剤１７は液状のままでも良いが、漏出し難いように、また蒸散速度を制御し易くするため、例えばフェルト、不織布、紙、スポンジなどの多孔体に含浸させて収納されても良く、あるいはゲル状、ゼリー状などの半固体状とされて収納されても良く、パラフィンなどと混練されて固体状とされても良い。以下の各実施形態においても同様である。収納部１１はガスバリア性の内蓋１２で覆われて密封されるが、ここでは内蓋１２の内側に通気性フィルム１６がシールされている。これは後述する様に内蓋１２を剥がした際に、液状の薬剤１７が零れるのを防ぐためまたは薬剤の蒸散量を加減するためであるが、薬剤１７が多孔体などに含浸された状態で収納される場合などでは必ずしも必要ではない。
【００２５】
内蓋１２は、収納部１１の全面を覆う形状で容器本体１０とシールされている。一端からタブ１３が連続し、折り返されて他端側に延びている。収納部１１、内蓋１２を覆って外蓋１４が被せられ、外蓋１４の収納部１１を覆う面には通気孔１５が貫通して設けられている。外蓋１４は、容器本体１０の両側部の第１係合部である凹部１８と嵌合する位置に設けられた第２係合部である凸部（図示せず）で嵌合して容器本体１０に固定され、薬剤収納容器１として全体が一体化される。このときタブ１３の他端側の先端は、外蓋１４の外側に出ており、摘み易くなっている。
【００２６】
内蓋１２は、図２に示す様にタブ１３を摘んでタブ１３ｂの様に他端側に引くことで、他端側に折返される形で剥がすことができ、剥がされた部分では薬剤１７を通気性フィルム１６を透過させて外蓋１４の通気孔１５から外部に蒸散される様にすることができる。タブ１３を引く長さを加減することで、内蓋１２が剥がされる量を加減でき、その結果、薬剤１７が放出される量を加減できる。内蓋１２が容器本体１０とシールされたシール部１９の形状は、一端側を山形とするなど、引き剥がし易い形状とするとより好ましい。内蓋１２が剥がされた薬剤収納容器１は、他端側から薬剤蒸散装置に挿入するなどして装着される。
【００２７】
薬剤収納容器１は、以上説明したように比較的薄い板状のカートリッジ形状であるため扱い易く、室内等に設置される薬剤蒸散装置に装着するのに便利であり、特に車載用の薬剤蒸散装置など、比較的限られた空間の中で扱う場合にも扱い易く、利便性が高い。
【００２８】
図３は、本発明の薬剤収納容器の第２の形態の構成を示す模式図である。本実施形態の薬剤収納容器２は、容器本体２０がトレイ状に成形された樹脂からなり、収納部１１に薬剤１７が収納される。収納部１１の上端周縁からフランジ２３が側方に張り出して設けられており、フランジ２３の部分でガスバリア性の内蓋２２が貼り合わされている。外蓋２４は第１の実施形態で例示したのと同様の樹脂を成形して構成され、収納部１１を覆う面に通気孔１５が貫通して設けられている。
【００２９】
外蓋２４にはまた、両側部に第２係合部であるスライド溝２９が形成され、スライド溝２９は容器本体２０のフランジ２３を第１係合部であるスライド凸部として嵌合し、容器本体２０が外蓋２４に挿入され一体化される。外蓋２４の内側面、すなわち容器本体２０が一体化されたときに収納部１１と対向する面には開口用の内刃２６が突出して設けられており、図４の模式図および図５の縦断面模式図に示す様に、容器本体２０が外蓋２４に挿入されるときに、内刃２６を通過した部分では内蓋２２が切り裂かれた切れ目２２ｂが形成されて開口し、収納部１１が開封された状態となり、薬剤１７が通気孔１５から蒸散できる状態となる。
【００３０】
容器本体２０と外蓋２４には、図４（ａ）の様な容器本体２０が内刃２６を通過しない未開封状態の位置、および図４（ｂ）に透視的に示す様な完全に挿入された位置それぞれで仮止めして抜け落ちない様にするための抜け止めパターン２８ａ、２８ｂを片側もしくは両側に形成しておくとより好ましい。
【００３１】
容器本体２０を外蓋２４に挿入して開封するには、図４（ａ）の様な未開封の状態から使用者が容器本体２０を手などで押し込んで図４（ｂ）の状態としても良く、また図４（ａ）の状態のまま図４（ｂ）の白矢印の方向で薬剤蒸散装置に装着する際に装置の内壁などに容器本体２０が当たって装着する動作に伴って容器本体２０が外蓋２４に挿入されるような態様であっても良い。
【００３２】
内刃２６は金属製の刃を別途埋め込んでも良いが、外蓋の成形時に同時に刃状の形状を成形したプラスチック樹脂製とすると、形成が容易でコストも低く、取り扱う際の安全性の点でも好ましい。
【００３３】
内蓋２２は、ガスバリア性に優れ、かつ、プラスチック製の内刃２６により容易に切断可能で、容器本体２０のフランジ２３に熱融着可能な、金属蒸着フィルム、無機酸化物蒸着フィルム、ＰＶＡなどのガスバリア性を呈する樹脂をコーティングしたガスバリアフィルム、アルミ箔などの金属箔、金属箔とポリエチレン樹脂フィルムを貼り合わせた複合フィルムなどが好ましく使用でき、適宜選択して使用できる。
【００３４】
図６は、本発明の薬剤収納容器の第３の形態の構成を示す模式図である。本実施形態の薬剤収納容器３は、容器本体３０に凹状の収納部１１が形成され、収納部１１に薬剤が含浸されたフェルト３７が収納され、内蓋３２がシールされて収納部１１が密封されている。外蓋３４は、前述の実施形態と同様に通気孔１５と内刃２６が形成されている。外蓋３４の側部には第２係合部であるスライド溝３３が形成され、容器本体３０の側部には第１係合部であるスライド凸部３８が形成されている。容器本体３０を外蓋３４に挿入するようにスライド溝３３とスライド凸部３８を嵌合させることで容器本体３０と外蓋３４が一体化される。外蓋３４の内側面、すなわち容器本体３０が一体化されたときに収納部１１と対向する面には開口用の内刃２６が突出して設けられており、容器本体３０が外蓋３４に挿入されるときに、内刃２６を通過した部分では内蓋３２が前述の実施形態と同様に切り裂かれて開口し、収納部１１が開封された状態となり、フェルト３７の薬剤が通気孔１５から蒸散できる状態となる。
【００３５】
図７は、本発明の薬剤収納容器の第４の形態の構成を示す模式図である。本実施形態の薬剤収納容器４は、容器本体４０に凹状の収納部１１が形成され、収納部１１に薬剤が含浸された不織布４７が収納され、内蓋４２がシールされて収納部１１が密封されている。外蓋４４は、ヒンジ４９を介して容器本体４０と連結され、ヒンジ４９を回動して外蓋４４の側部に形成された第２係合部である嵌合突起４３と、容器本体４０の側部に形成された第１係合部である嵌合凹部４８が互いに嵌合することで容器本体４０と外蓋４４が一体化される。外蓋４４には通気孔１５が形成され、また外蓋４４の内側面、すなわち容器本体４０と一体化されたときに収納部１１と対向する面には針状凸部４６が形成されている。ヒンジ４９を回動して容器本体４０に外蓋４４が被せられて一体化されたときに、針状凸部４６が内蓋４２を貫通して開口が形成されることで、収納部１１が開封された状態となり、不織布４７の薬剤が通気孔１５から蒸散できる状態となる。
【００３６】
図８は、本発明の薬剤収納容器の第５の形態を開封する態様を示す縦断面模式図であり、図９はその平面図である。薬剤収納容器５は、トレイ状に成形された容器本体５０と外蓋５４からなり、容器本体５０の凹状の収納部１１に薬剤１７が収納される。収納部１１はガスバリア性の内蓋５２で覆われて密封されている。また収納部１１の上端周縁からフランジ５３が側方に張り出して設けられており、フランジ５３の部分で内蓋５２が貼り合わされている。外蓋５４は、第１の実施形態で例示したのと同様の樹脂を成形して構成することができる。
【００３７】
外蓋５４には第３の実施形態と同様の第２係合部であるスライド溝が形成され、スライド溝は容器本体５０のフランジ５３を第１係合部であるスライド凸部として嵌合し、容器本体５０が外蓋５４に挿入され一体化される。外蓋５４にはまた、窓５８が開口し、窓５８の中に外蓋５４と薄肉部５４ａ、５４ｂのみで連結された浮動板５９が設けられている。浮動板５９の内側面、すなわち外蓋５４と容器本体５０が一体化されたときに収納部１１と対向する面には針状凸部４６が形成されている。容器本体５０と外蓋５４に、第２の実施形態と同様の抜け止めパターンを形成しておくことができる。
【００３８】
本実施形態の薬剤収納容器５を、図８に示す様な装着部１００に突起１０１が設けられた薬剤蒸散機に挿入すると、突起１０１が浮動板５９上に達すると浮動板を下方、すなわち容器本体５０側に押し、薄肉部５４ａが変形し、さらに薄肉部５４ｂが破断される。その結果、針状凸部４６が内蓋５２に突き刺さり、内蓋５２を貫通して開口５２ｂが形成されることで、収納部１１が開封された状態となり、熱板１０２の様な加熱機構により加熱されて薬剤１７が通気孔１５から蒸散できる状態となる。薬剤収納容器５が完全に装着されたときに図８（ｃ）の様に突起１０１が薄肉部５４ａに達するようにし、浮動板５９を上昇させることで針状凸部４６を開口５２ｂから離間させて、蒸散し易くすることもできる。
【００３９】
図１０は、本発明の薬剤収納容器の第６の形態を開封する態様を示す縦断面模式図であり、図１１はその平面図である。薬剤収納容器６は、トレイ状に成形された容器本体６０と外蓋６４からなり、容器本体６０の凹状の収納部１１に薬剤１７が収納される。ただし収納部１１の底部はアルミシート６３で形成され、熱伝導性が向上されている。収納部１１はガスバリア性の内蓋６２に覆われてシールされて密封されている。外蓋６４は、第１の実施形態で例示したのと同様の樹脂を成形して構成することができる。
【００４０】
薬剤収納容器６には第３の実施形態と同様のスライド溝とスライド凸部が形成され、容器本体６０が外蓋６４に挿入され一体化される。外蓋６４にはまた、窓６８が開口し、窓６８の中に外蓋６４と薄肉部６４ａ、６４ｂのみで連結された浮動板６９が上方に突出して設けられている。浮動板６９の内側面、すなわち外蓋６４と容器本体６０が一体化されたときに収納部１１と対向する面には針状凸部４６が形成されている。容器本体６０と外蓋６４に、第２の実施形態と同様の抜け止めパターンを形成しておくことができる。
【００４１】
本実施形態の薬剤収納容器６を、図１０に示す様な装着部１１０が設けられた薬剤蒸散機に挿入すると、浮動板６９が装着部１１０に達したときに浮動板は下方、すなわち容器本体６０側に押され、薄肉部６４ａ、６４ｂが変形して針状凸部４６が内蓋６２に突き刺さり、内蓋６２を貫通して開口６２ｂが形成されることで、収納部１１が開封された状態となり、熱板１１２の様な加熱機構により加熱されて薬剤１７が通気孔１５から蒸散できる状態となる。装着部１１０の上部にテーパー１１１を設けてあるとテーパー１１１に沿ってスムーズに挿入される。
【００４２】
図１２は、本発明の薬剤収納容器の第７の形態を開封する態様を示す縦断面模式図であり、図１３はその横断面模式図である。薬剤収納容器７は、金属シートまたは樹脂フィルムがトレイ状に成形された容器本体７０と外蓋７４からなり、容器本体７０の凹状の収納部１１に薬剤１７が収納される。ただしその形状は、薬剤蒸散機に挿入される側が斜面７８となった船底状となっている。収納部１１はガスバリア性の内蓋７２に覆われてシールされて密封されている。また収納部１１の上端周縁からフランジ７３が側方に張り出して設けられており、フランジ７３の部分で内蓋７２が貼り合わされている。外蓋７４は、第１の実施形態で例示したのと同様の樹脂を成形して構成することができる。
【００４３】
外蓋７４には両側部の内側に第２係合部であるスライド棚７４ｂが形成され、容器本体７０のフランジ７３が第１係合部としてスライド棚７４ｂに載置される態様で外蓋７４に挿入され一体化される。スライド棚７４ｂの上方には空間が設けられ、容器本体７０は上方に移動可能となっている。外蓋７４には通気孔１５が貫通して設けられ、またその内側面、すなわち外蓋７４と容器本体７０が一体化されたときに収納部１１と対向する面には針状凸部４６が形成されている。容器本体７０と外蓋７４に、第２の実施形態と同様の抜け止めパターンを形成しておくことができる。またスライド棚７４ｂの上方に、フランジ７３と係合して容器本体７０が上方に移動した状態を保持できる凸条７４ｃを設けても良い。
【００４４】
本実施形態の薬剤収納容器７を、図１２に示す様な装着部１２０が設けられた薬剤蒸散機に挿入すると、容器本体７０が装着部１２０に達したときに容器本体７０は上方、すなわち外蓋７４側に押され、スライド棚７４ｂに載置されただけの容器本体７０が上方に移動して針状凸部４６が内蓋７２に突き刺さり、内蓋７２を貫通して開口７２ｂが形成されることで、収納部１１が開封された状態となり、熱板１２２の様な加熱機構により加熱されて薬剤１７が通気孔１５から蒸散できる状態となる。装着部１２０の下部にテーパー１２１を設けてあるとテーパー１２１に沿ってスムーズに挿入される。
【００４５】
図１４は、本発明の薬剤放出システムに適用できる薬剤収納容器の構成例を示す模式図である。また図１５は、その薬剤収納容器を開封する態様を示す断面模式図である。本実施形態の薬剤収納容器８は、容器本体８０に凹状の収納部１１が形成され、収納部１１に薬剤が含浸されたフェルト３７が収納され、内蓋８２がシールされて収納部１１が密封されている。
【００４６】
本構成例の薬剤収納容器８を、図１５に示す様な、内部に切断刃１３１が装着された装着部１３０が設けられた薬剤蒸散機に挿入すると、容器本体８０が切断刃１３１を通過し
た部分では内蓋８２が切り裂かれた切れ目８２ｂが形成されて開口し、収納部１１が開封された状態となり、熱板１３２の様な加熱機構により加熱されて、薬剤１７が蒸散される。
【００４７】
図１６は、本発明の薬剤放出システムに適用できる薬剤収納容器の第２の構成例を示す模式図である。また図１７は、その薬剤収納容器を開封する態様を示す模式図である。薬剤収納容器９は、容器本体９０に凹状の収納部１１が形成され、収納部１１に薬剤が含浸されたフェルト３７が収納され、内蓋９２がシールされて収納部１１が密封されている。容器本体９０の薬剤蒸散機に挿入される側の一端に、ジャバラ９４で連結されたアーム９３が収納部１１に向かって延在し、アーム９３には内蓋９２を開封する開封部材である切断刃９６が設けられている。
【００４８】
薬剤収納容器９が薬剤蒸散機の装着部１４０に挿入されたとき、完全に装着される前に装着部１４０の内壁に当たり、さらに挿入することでジャバラ９４が縮められ、アーム９３が収納部１１側に移動して切断刃９６が内蓋９２を切り裂いて切れ目９２ｂが形成されて収納部１１が開封された状態となり、熱板１４２の様な加熱機構により加熱されて、薬剤１７が蒸散される。
【００４９】
以上説明した本発明の薬剤収納容器の各実施形態において、内蓋は適度な引っ張り強度、ヒートシール性、ガスバリア性を有するフィルムなどであれば特に限定されることなく好適に用いることができ、例えば公知のアルミなどの金属蒸着フィルム、無機酸化物蒸着フィルム、ＰＶＡなどのガスバリア性を呈する樹脂をコーティングしたガスバリアフィルム、アルミ箔などの金属箔とポリエチレン樹脂フィルムを貼り合わせた複合フィルムなどから適宜選択して採用することができる。またポリエチレン樹脂フィルムとラミネートしてイージーピール性を付与することもできる。
【００５０】
また薬剤収納容器の大きさは、その用途に応じて適宜定めることができ、特に限定するものではないが、扱い易く、かつ薬剤を収納する容積を確保できる大きさとして、縦方向、すなわち一端から他端に向かう方向で３〜１０ｃｍ、それに直交する横方向で２〜６ｃｍ、厚さが１〜１０ｍｍとすると好ましい。また上記の各実施形態の薬剤収納容器はいずれも比較的薄い板状であり、その外径寸法を同等のものとすることができ、同一の薬剤蒸散装置に、使用する目的、薬剤の種類、使用環境、薬剤の放出量などに応じて形態の異なる薬剤収納容器を適宜取り替えて装着して使用できる様にすることもできる。また薬剤収納容器は、装着される薬剤蒸散装置の加熱機構での収納部の加熱を制御することで、薬剤の蒸散を促進し、またその放出量を制御することもできる。
【００５１】
また容器本体および外蓋は、耐熱性のある樹脂を適宜選択して射出成形などの公知の樹脂成形方法により作製することができる。樹脂としては例えば、ポリオレフィン樹脂、ポリカーボネート樹脂、ナイロン樹脂、ポリエステル樹脂、ＡＢＳ樹脂、ポリアセタール樹脂などが例示できるが、これに限られるものではない。また、収納部への熱伝導性を高めるために、収納部の底面に金属板などの熱伝導性に優れる材料を貼り合せたり、容器本体の成形時に収納部の底面部分を金属板とした複合材料構成で成形したものとすることもできる。
【００５２】
以上説明したように、本発明によれば、保管時等には薬剤は密封され、薬剤蒸散機に装着する際に使用者が容器本体と外蓋を一体化させるだけで容易に開封され、あるいは装着する動作と共に開封され、小型で薄いカートリッジ形状であるため簡単な加熱機構でも蒸散速度などの制御がし易い薬剤収納容器および薬剤放出システムを提供できる。
【符号の説明】
【００５３】
１、２、３、４、５、６、７、８、９・・・薬剤収納容器
１０、２０、３０、４０、５０、６０、７０、８０、９０・・・容器本体
１１・・・収納部
１２、２２、３２、４２、５２、６２、７２、８２、９２・・・内蓋
１３・・・タブ
１４、２４、３４、４４、５４、６４、７４、８４、９４・・・外蓋
１５・・・通気孔
１６・・・通気性フィルム
１７、２７、７７・・・薬剤
１８・・・凹部
１９・・・シール部
２２ｂ、８２ｂ、９２ｂ・・・切れ目
２３、７３・・・フランジ
２６・・・内刃
２８ａ、２８ｂ・・・抜け止めパターン
２９、３３・・・スライド溝
３７・・・フェルト
３８・・・スライド凸部
４３・・・嵌合突起
４６・・・針状凸部
４７・・・不織布
４８・・・嵌合凹部
４９・・・ヒンジ
５２ｂ、６２ｂ、７２ｂ・・・開口
５４ａ、５４ｂ、６４ａ、６４ｂ・・・薄肉部
５８、６８・・・窓
５９、６９・・・浮動板
６３・・・アルミシート
７４ｂ・・・スライド棚
７４ｃ・・・凸条
７８・・・斜面
９３・・・アーム
９４・・・ジャバラ
９６・・・切断刃
【図１】
2020146197.tif 000003
【図２】
2020146197.tif 000004
【図３】
2020146197.tif 000005
【図４】
2020146197.tif 000006
【図５】
2020146197.tif 000007
【図６】
2020146197.tif 000008
【図７】
2020146197.tif 000009
【図８】
2020146197.tif 000010
【図９】
2020146197.tif 000011
【図１０】
2020146197.tif 000012
【図１１】
2020146197.tif 000013
【図１２】
2020146197.tif 000014
【図１３】
2020146197.tif 000015
【図１４】
2020146197.tif 000016
【図１５】
2020146197.tif 000017
【図１６】
2020146197.tif 000018
【図１７】
2020146197.tif 000019